(57)【要約】【課題】コンピュータに所望のオペレーションを行う場合に、コンピュータシステムの知識が十分になくても、容易に操作可能とする。【解決手段】コンタクトレスメディアには、オペレーションの方法を示すオペレーションタイプ種別コードと関連情報が記録されている。コンピュータは、コンタクトレスメディア・リーダライタ装置にコンタクトレスメディアが置かれたかを監視し（Ｓ１０５）、コンタクトレスメディアが置かれた状態の時にオペレーションタイプ種別コードを読込み（Ｓ１０７）、オペレーション方法を判断する（Ｓ１０９）。さらに、コンピュータ１はオペレーションに対応した情報のフォーマットに従って関連情報を読み込み、所望のオペレーション処理（例えば、電子名刺、位置情報表示、アプリケーション起動、ホームページ起動、Ｅ−ｍａｉｌ等）を実行する（Ｓ１１１〜Ｓ１２９）。【選択図】　図９
2004013180.tif 000002
【特許請求の範囲】
【請求項１】
オペレーションの内容に対応付けられた識別子である種別コードと、オペレーション毎に定められた記録フォーマットでオペレーションに必要な関連情報とが記憶されたコンタクトレスメディアから、種別コード及び関連情報を読み取るリーダライタ装置と、
前記リーダライタ装置にコンタクトレスメディアが置かれたかどうかを監視し、コンタクトレスメディアが置かれた場合、該リーダライタ装置を介してコンタクトレスメディアに記憶された種別コードを読み込み、種別コードに対応するオペレーションを判断し、種別コードに対応するオペレーションの記録フォーマットに従ってコンタクトレスメディアに記憶された関連情報をさらに読み込み、読み込んだ関連情報を用いて種別コードで定められたオペレーションを実行するコンピュータと
を備えたコンピュータオペレーション装置。
【請求項２】
コンタクトレスメディアの種別コードは、電子名刺に関するオペレーションを示す種別コードであり、
コンタクトレスメディアに記憶されている関連情報は、会社名、ＵＲＬアドレス、部署名、名前、性別、郵便番号、電話、住所、Ｅ−ｍａｉｌアドレス、役職のいずれか又は複数を含む電子名刺情報であり、
前記コンピュータは、読み込んだ種別コードが電子名刺に関するオペレーションを示すと判断した場合、該コンピュータは、住所録の作成及び／又は編集用の住所録ソフトを起動し、定められた記録フォーマットに従って読み込まれた電子名刺情報を住所録ソフトに入力する請求項１に記載のコンピュータオペレーション装置。
【請求項３】
コンタクトレスメディアの種別コードは、位置情報に関するオペレーションを示す種別コードであり、
コンタクトレスメディアに記憶されている関連情報は、場所名、緯度、経度、ＵＲＬアドレスのいずれか又は複数を含む位置情報であり、
前記コンピュータは、読み込んだ種別コードが位置情報に関するオペレーションを示すと判断した場合、該コンピュータは、任意の位置とその周辺の地図を提供することができる電子地図ソフトを起動し、定められた記録フォーマットに従って読み込まれた位置情報を電子地図ソフトに入力し、該当する位置を電子地図上に表示させる請求項１に記載のコンピュータオペレーション装置。
【請求項４】
コンタクトレスメディアの種別コードは、アプリケーション起動に関するオペレーションを示す種別コードであり、
コンタクトレスメディアに記憶されている関連情報は、アプリケーション名及び／又はアプリケーションリンク先を含むアプリケーション起動情報であり、
前記コンピュータは、読み込んだ種別コードがアプリケーション起動に関するオペレーションを示すと判断した場合、該コンピュータは、定められた記録フォーマットに従って読み込まれたアプリケーションリンク先で指定されたアプリケーション、又は、ＯＳによって、アプリケーションリンク先で指定されたファイルと対応づけられたアプリケーションを起動する請求項１に記載のコンピュータオペレーション装置。
【請求項５】
コンタクトレスメディアの種別コードは、ホームページ起動に関するオペレーションを示す種別コードであり、
コンタクトレスメディアに記憶されている関連情報は、ホームページ名及び／又はＵＲＬアドレスを含むＵＲＬ情報であり、
前記コンピュータは、読み込んだ種別コードがホームページ起動に関するオペレーションを示すと判断した場合、該コンピュータはホームページ閲覧用のブラウザソフトを起動し、定められた記録フォーマットに従って読み込まれたＵＲＬアドレス又はブラウザで設定されたＵＲＬアドレスのホームページを呼出す請求項１に記載のコンピュータオペレーション装置。
【請求項６】
コンタクトレスメディアの種別コードは、Ｅ−ｍａｉｌに関するオペレーションを示す種別コードであり、
コンタクトレスメディアに記憶されている関連情報は、名前、Ｅ−ｍａｉｌアドレス、メッセージ内容のいずれか又は複数を含むＥ−ｍａｉｌ情報であり、
前記コンピュータは、読み込んだ種別コードが、Ｅ−ｍａｉｌに関するオペレーションを示すと判断した場合、該コンピュータは、Ｅ−ｍａｉｌ送受信用のメールソフトを起動し、定められた記録フォーマットに従って読み込まれたＥ−ｍａｉｌ情報をメールソフトに入力する請求項１に記載のコンピュータオペレーション装置。
【請求項７】
コンピュータは、コンタクトレスメディアに記憶されたオペレーションの内容に対応付けられた識別子である種別コードとオペレーション毎に定められた記録フォーマットで記憶されたオペレーションに必要な関連情報とを読み取るリーダライタ装置に、コンタクトレスメディアが置かれたかどうかを監視するステップと、
コンピュータは、コンタクトレスメディアがリーダライタ装置に置かれたと判断した場合、リーダライタ装置を介してコンタクトレスメディアに記憶された種別コードを読み込むステップと、
コンピュータは、種別コードに対応するオペレーションを判断するステップと、
コンピュータは、種別コードに対応するオペレーションの記録フォーマットに従ってコンタクトレスメディアに記憶された関連情報をさらに読み込むステップと、
コンピュータは、読み込んだ関連情報を用いて種別コードで定められたオペレーションを実行するステップと
を含むコンピュータオペレーション方法。
【請求項８】
コンピュータは、リーダライタ装置を介して読み込んだ種別コードが、電子名刺に関するオペレーションを示すと判断した場合、
コンピュータは、住所録の作成及び／又は編集用の住所録ソフトを起動するステップと、
コンピュータは、定められた記録フォーマットに従ってコンタクトレスメディアから読み込んだ会社名、ＵＲＬアドレス、部署名、名前、性別、郵便番号、電話、住所、Ｅ−ｍａｉｌアドレス、役職のいずれか又は複数を含む電子名刺情報を住所録ソフトに入力するステップと
をさらに含む請求項７に記載のコンピュータオペレーション方法。
【請求項９】
コンピュータは、リーダライタ装置を介して読み込んだ種別コードが、位置情報に関するオペレーションを示すと判断した場合、
コンピュータは、任意の位置とその周辺の地図を提供することができる電子地図ソフトを起動するステップと、
コンピュータは、定められた記録フォーマットに従ってコンタクトレスメディアから読み込んだ場所名、緯度、経度、ＵＲＬアドレスのいずれか又は複数を含む位置情報を電子地図ソフトに入力するステップと、
コンピュータは、該当する位置を電子地図上に表示させるステップと、
をさらに含む請求項７に記載のコンピュータオペレーション方法。
【請求項１０】
コンピュータは、リーダライタ装置を介して読み込んだ種別コードが、アプリケーション起動に関するオペレーションを示すと判断した場合、
コンピュータは、定められた記録フォーマットに従ってコンタクトレスメディアから読み込んだアプリケーションリンク先で指定されたアプリケーション、又は、ＯＳによって、アプリケーションリンク先で指定されたファイルに対応づけられたアプリケーションを起動するステップをさらに含む請求項７に記載のコンピュータオペレーション方法。
【請求項１１】
コンピュータは、リーダライタ装置を介して読み込んだ種別コードが、ホームページ起動に関するオペレーションを示すと判断した場合、
コンピュータは、ホームページ閲覧用のブラウザソフトを起動するステップと、
コンピュータは、定められた記録フォーマットに従ってコンタクトレスメディアから読み込んだＵＲＬアドレス、又は、ブラウザで設定されたＵＲＬアドレスのホームページを呼出すステップと
をさらに含む請求項７に記載のコンピュータオペレーション方法。
【請求項１２】
コンピュータは、リーダライタ装置を介して読み込んだ種別コードが、Ｅ−ｍａｉｌに関するオペレーションを示すと判断した場合、
コンピュータは、Ｅ−ｍａｉｌ送受信用のメールソフトを起動するステップと、
コンピュータは、定められた記録フォーマットに従ってコンタクトレスメディアから読み込んだ名前、Ｅ−ｍａｉｌアドレス、メッセージ内容のいずれか又は複数を含むＥ−ｍａｉｌ情報をメールソフトに入力するステップと
をさらに含む請求項７に記載のコンピュータオペレーション方法。
【請求項１３】
コンピュータは、コンタクトレスメディアに記憶されたオペレーションの内容に対応付けられた識別子である種別コードとオペレーション毎に定められた記録フォーマットに従って記憶されたオペレーションに必要な関連情報とを読み取るリーダライタ装置に、コンタクトレスメディアが置かれたかどうかを監視するステップと、
コンピュータは、コンタクトレスメディアがリーダライタ装置に置かれたと判断した場合、リーダライタ装置を介してコンタクトレスメディアに記憶された種別コードを読み込むステップと、
コンピュータは、種別コードに対応するオペレーションを判断するステップと、
コンピュータは、種別コードに対応するオペレーションの記録フォーマットに従ってコンタクトレスメディアに記憶された関連情報をさらに読み込むステップと、
コンピュータは、読み込んだ関連情報を用いて種別コードで定められたオペレーションを実行するステップと
をコンピュータに実行させるためのコンピュータオペレーションプログラム。
【請求項１４】
コンピュータは、コンタクトレスメディアに記憶されたオペレーションの内容に対応付けられた識別子である種別コードとオペレーション毎に定められた記録フォーマットに従って記憶されたオペレーションに必要な関連情報とを読み取るリーダライタ装置にコンタクトレスメディアが置かれたかどうかを監視するステップと、
コンピュータは、コンタクトレスメディアがリーダライタ装置に置かれたと判断した場合、リーダライタ装置を介してコンタクトレスメディアに記憶された種別コードを読み込むステップと、
コンピュータは、種別コードに対応するオペレーションを判断するステップと、
コンピュータは、種別コードに対応するオペレーションの記録フォーマットに従ってコンタクトレスメディアに記憶された関連情報をさらに読み込むステップと、
コンピュータは、読み込んだ関連情報を用いて種別コードで定められたオペレーションを実行するステップと
をコンピュータに実行させるためのコンピュータオペレーションプログラムを記録したコンピュータ読み取り可能な記録媒体。
【発明の詳細な説明】
【０００１】
【発明の属する技術分野】
本発明は、コンピュータのオペレーションを行うコンピュータオペレーション装置、コンピュータオペレーション方法、コンピュータオペレーションプログラム及びそのプログラムを記録したコンピュータ読み取り可能な記録媒体に関する。
【０００２】
【従来の技術】
一般に、コンピュータのオペレーション（プログラムやメニューによる処理・動作・命令の実行及び操作等）を行うための手段や装置として、キーボード・マウス・タッチパネルなどが主に利用されているが、何れの物もオペレーションを行う場合はスイッチを押すという事が必要であった。また、従来のコンピュータシステムは所望のオペレーションを行う場合、メニューを階層化し、マウスやキーボード等によって所望の処理プログラムやメニュー等を順次オペレーションしながら呼び出すという特定の作業が必要であった。
【０００３】
一方で従来より、コンタクトレスメディア（非接触ＩＣメディア）とリーダライタ装置の間で非接触によりデータを送受信する方法が開発されている（特願２００１−８４６９９、特願２００２−５６０３９）。コンタクトレスメディアは、リーダライタ装置に対して置く向きに関係なく非接触でアクセスが可能という利点がある（特願２００１−８４７４６、特願２００２−３３７９６）。
【０００４】
【発明が解決しようとする課題】
従来のコンピュータシステムは、所望のオペレーションを行う場合、メニューから所望の処理プログラムや階層化された次のメニュー等を順次呼び出すという特定の作業が必要であり、コンピュータシステムを理解した上でなければ特定の作業を行う事が出来ないという課題があった。
【０００５】
さらにメカニカルなスイッチには回数寿命があり、システムのメンテナンスを必要としていた。また、簡易的な操作としてよく利用されるタッチパネルは直接画面上を指で触れる為、指の指紋が画面に残るなどの汚れや摩耗の面での課題があった。
【０００６】
本発明は、以上の点に鑑み、コンピュータに所望のオペレーションを行う場合に、コンピュータシステムを十分に理解していなくても簡便に操作可能なオペレーション装置を提供することを目的とする。また、本発明は、コンタクトレスメディアにオペレーションを特定する種別コードを記録し、コンピュータは種別コードを読み込み、種別コードに対応するオペレーションを判断することで、メニューを順次操作する作業を省略することを目的とする。さらに、本発明は、コンタクトレスメディアはリーダライタ装置に対して置く向き（縦・横・裏・表）に関係なく装置と非接触にアクセスが可能であるため、利用者はコンタクトレスメディアをリーダライタ装置に置く又はかざすという動作のみで、いずれのオペレーションをも可能とすることを目的とする。また、本発明は、従来のスイッチを押すという作業を不要とし、非接触操作をすることによって、メカニカル的な寿命を解決する事も目的の一つである。
【０００７】
【課題を解決するための手段】
本発明の特徴の一つとしては、特に、コンタクトレスメディアにオペレーションを特定する識別子である種別コードを記録し、コンピュータがコンタクトレスメディア・リーダライタ装置を介してオペレーション種別コードを読み込み、種別コードに対応するオペレーションを判断することで、メニューを順次操作する作業を省略し、所望のオペレーションを可能とする。
【０００８】
また、本発明の他の特徴としては、コンピュータはコンタクトレスメディア・リーダライタ装置にコンタクトレスメディアが置かれたかを監視するプログラムを実行し、コンタクトレスメディアが置かれた場合、コンタクトレスメディアに記録された種別コードに応じたオペレーションを行う。
【０００９】
本発明の第１の解決手段によると、
オペレーションの内容に対応付けられた識別子である種別コードと、オペレーション毎に定められた記録フォーマットでオペレーションに必要な関連情報とが記憶されたコンタクトレスメディアから、種別コード及び関連情報を読み取るリーダライタ装置と、
前記リーダライタ装置にコンタクトレスメディアが置かれたかどうかを監視し、コンタクトレスメディアが置かれた場合、該リーダライタ装置を介してコンタクトレスメディアに記憶された種別コードを読み込み、種別コードに対応するオペレーションを判断し、種別コードに対応するオペレーションの記録フォーマットに従ってコンタクトレスメディアに記憶された関連情報をさらに読み込み、読み込んだ関連情報を用いて種別コードで定められたオペレーションを実行するコンピュータと
を備えたコンピュータオペレーション装置が提供される。
【００１０】
本発明の第２の解決手段によると、
コンピュータは、コンタクトレスメディアに記憶されたオペレーションの内容に対応付けられた識別子である種別コードとオペレーション毎に定められた記録フォーマットで記憶されたオペレーションに必要な関連情報とを読み取るリーダライタ装置に、コンタクトレスメディアが置かれたかどうかを監視するステップと、
コンピュータは、コンタクトレスメディアがリーダライタ装置に置かれたと判断した場合、リーダライタ装置を介してコンタクトレスメディアに記憶された種別コードを読み込むステップと、
コンピュータは、種別コードに対応するオペレーションを判断するステップと、
コンピュータは、種別コードに対応するオペレーションの記録フォーマットに従ってコンタクトレスメディアに記憶された関連情報をさらに読み込むステップと、
コンピュータは、読み込んだ関連情報を用いて種別コードで定められたオペレーションを実行するステップと
を含むコンピュータオペレーション方法、これら各ステップをコンピュータに実行させるためのコンピュータオペレーションプログラム及びそのプログラムを記録したコンピュータ読み取り可能な記録媒体が提供される。
【００１１】
【発明の実施の形態】
以下図面を参照して本発明の実施の形態を説明する。本実施の形態では、一例として、Ｗｉｎｄｏｗｓ（登録商標）搭載型パソコンを用いた場合について説明する。なお、他のＯＳを搭載したパソコン、又は、ＣＰＵと内部メモリーを備えたアプリケーションが実行可能な各種コンピュータでもよい。
【００１２】
（ハード構成）
図１は、本実施の形態における、コンピュータオペレーション装置の構成図である。コンピュータオペレーション装置は、コンピュータ１とコンタクトレスメディア・リーダライタ装置２とコンタクトレスメディア３を備える。
【００１３】
コンピュータ１は、例えばパソコンであり、市販の住所録ソフト、電子地図ソフト、各種アプリケーション、ブラウザソフト、電子メールソフトのいずれか又は複数が実行可能なコンピュータである。また、コンピュータ１は、ホームページの閲覧、Ｅ−ｍａｉｌの送受信が可能な通信ネットワークに接続可能なコンピュータである。コンタクトレスメディア・リーダライタ装置２は、コンタクトレスメディア３に記憶された情報を非接触で読み取る又は書き込む装置であり、コンピュータ１と接続されている。コンタクトレスメディア３には、オペレーションの内容を判別するためのオペレーション種別コード及びオペレーションに必要な関連情報が記憶されている。コンピュータ１は、コンタクトレスメディア・リーダライタ装置２を介して、コンタクトレスメディア３から、オペレーション種別コード及び関連情報を読み込み、読み込んだ情報に基づいたオペレーション処理を実行する。
【００１４】
（メディアフォーマット）
図２は、コンタクトレスメディアのメディアフォーマットイメージの説明図である。
この例では、メディア内は１６バイトを１ブロックとしたｎ個のブロックの物理記録エリアから構成され、そのブロックに記録するフォーマット定義を行う事で使用目的に応じたオペレーション記録メディアを実現している。図２のようにメディア内は種別コードエリア１１と関連情報記録エリア１２に分けられている。種別コードエリア１１には、オペレーションの内容を判別するためのオペレーション種別コードが記憶され、関連情報記録エリア１２には、オペレーションに必要な関連情報が記憶される。本実施の形態では、一例として、ブロック内の０から３までは、種別コードエリア１１とし、ブロック４からブロックｎ−１までを関連情報記録エリア１２としている。なお、それぞれのエリアのブロック数、記憶するブロックの場所は適宜のものを用いることができる。
【００１５】
種別コードは、コンピュータがどのような目的で使用されるかを記録する識別子であり、コンピュータ１はこの種別コードを読み込むことで、どの処理を実行するか判別できるものである。
【００１６】
（種別コードフォーマット）
図３は、オペレーションタイプ種別コードの構成図である。
種別コードは、一例として、種別コードエリア１１のうち、図３（ａ）のように、１ブロック（１６バイト）の一部に書き込まれることができる。下位８バイトがオペレーション種別コード領域、上位８バイトは未使用領域とする。なお、種別コードが記録される領域は適宜の大きさとすることができる。図３（ｂ）には、コンピュータ１の内部メモリーなどの適宜のメモリーに予め記憶される種別コードとオペレーション目的情報の対応テーブルの説明図を示す。オペレーションタイプ種別コードは図３（ｂ）のようなテーブルによって、コンピュータの使用目的情報と対応づけられている。使用目的情報としては、例えば、電子名刺、位置情報（緯度・経度）、アプリケーション起動、ＵＲＬアドレス、Ｅ−ｍａｉｌアドレス等である。なお、使用目的情報は、コンピュータ１が実行可能なものであれば何でもよい。コンタクトレスメディア３にはそれぞれの使用目的に対応した種別コードと関連情報が記録されている。種別コードは、目的情報と対応が取れ、重複しないものであればよい。
【００１７】
また、他の例としては、図３（ｃ）のように、下位４バイトを種別コードと属性コードに分け、オペレーションタイプを分類してもよい。種別コードは、例えばメディアがどんな目的で使用されるかを記録するコードであり、属性コードは、種別コードからさらに分類が必要な時に記録されるコードである。
【００１８】
（各種記録フォーマット）
各種別コード毎に設定したコンタクトレスメディアの関連情報記録エリア１２に記録されるオペレーションに必要な関連情報のフォーマットの一例を以下に示す。関連情報記録エリア１２には、これらのフォーマットに従って関連情報が記憶される。これらの、種別コード毎のフォーマットは、予めコンピュータ１の内部メモリーにも記憶され、コンピュータ１は、入力した種別コードからコンタクトレスメディア３の関連情報記録エリア１２に記憶されている関連情報のフォーマットを知ることができる。
【００１９】
図４は、電子名刺情報格納時の記録フォーマットである。記録されている電子名刺情報の項目は、例えば、会社名のフリガナ、会社名、ＵＲＬアドレス、部署名、名前のフリガナ、名前、性別、郵便番号、電話（代表）、電話（直通）、電話（ＦＡＸ）、電話（携帯）、住所、Ｅ−ｍａｉｌアドレス、役職等である。これらの情報は、表計算ソフトの標準入出力形式であるＣＳＶ形式で記憶されている。なお、他の形式で記憶されていてもよい。
【００２０】
図５は、位置情報格納時の記録フォーマットである。記録されている位置情報の項目は、例えば、場所のフリガナ、場所、緯度（７桁）、経度（７桁）、ＵＲＬアドレス等である。経度情報格納は、例えば１３０度３５分３７秒の位置の場合、１３０３５３７と７桁で表現する。緯度情報格納も、例えば緯度が３２度４３分４５秒の位置の場合、０３２４３４５の７桁で表現する。なお、経度・緯度情報は他の桁数で表現することもできる。また、東経・西経及び北緯・南緯の区別がつけられるようにしてもよい。
【００２１】
図６は、アプリケーション起動情報格納時の記録フォーマットである。記録されているアプリケーション起動情報の項目は、例えば、アプリケーション名、アプリケーションリンク先情報等である。アプリケーションリンク先情報は、絶対パス等の適宜のパスで指定してもよい。アプリケーションリンク先情報は、ＯＳ上でファイルとアプリケーションが関連付けられているアプリケーション専用データファイルのリンク先情報でもよい。
【００２２】
図７は、ホームページのアドレスであるＵＲＬアドレス情報格納時の記録フォーマットである。記録されているＵＲＬアドレス情報の項目は、例えば、ホームページ名、ＵＲＬアドレス等である。ＵＲＬアドレス情報が無い場合はＮｕｌｌコードを記録するものとする。従って、データの終端コードはＮｕｌｌコードとなる。
【００２３】
図８は、Ｅ−ｍａｉｌアドレス情報格納時の記録フォーマットである。記録されているＥ−ｍａｉｌアドレス情報の項目は、例えば、名前、Ｅ−ｍａｉｌアドレス、メッセージ内容等である。メッセージが無い場合は、Ｎｕｌｌコードを記録するものとする。従って、データの終端コードはＮｕｌｌコードとなる。
【００２４】
（フローチャート）
図９は、コンピュータオペレーションプログラムの処理についてのフローチャートである。
本プログラムによると、コンピュータ１はコンタクトレスメディア・リーダライタ装置２にコンタクトレスメディア３が置かれたかを監視し、コンタクトレスメディア３が置かれた状態の時にオペレーションタイプ種別コードを読込む事で、コンタクトレスメディア３内に記録されている情報のフォーマットを知る事が可能となる。コンピュータ１は、メディア種別判定後、各種コンタクトレスメディア３に応じたオペレーション処理の実行を行う。
【００２５】
まず、コンピュータ１は、アイドル処理を行う（Ｓ１０１）。例えば、コンピュータ１は、図２に示すフォーマットと同様の領域を内部メモリーに確保する。
【００２６】
▲１▼メディア判定
次に、コンピュータ１は、リーダライタ装置２にコンタクトレスメディア３が置かれたかどうか監視を行い（Ｓ１０３）、コンタクトレスメディア３が置かれた時には直ちに、正常なメディア情報であるかの判定を行い、本装置用のコンタクトレスメディア３である時はステップＳ１０７の処理へ移行する（Ｓ１０５）。メディア判定手段としては、例えば判定キーとなるデータをコンタクトレスメディアに記憶させてもよい。なお、メディア判定手段は適宜の方法を用いることができる。一方、コンタクトレスメディア３が置かれていない場合は、ステップＳ１０３に戻る。
【００２７】
▲２▼種別判定
コンピュータ１がコンタクトレスメディア３を検出すると、リーダライタ装置２は、コンタクトレスメディア３から種別コードを読み取り、コンピュータ１は種別コードをリーダライタ装置２を介して入力し（Ｓ１０７）、種別コードに応じて、ステップＳ１１１、Ｓ１１５、Ｓ１１９、Ｓ１２３、Ｓ１２７への分岐処理を行う（Ｓ１０９）。以下、各分岐処理について説明する。なお、以下に説明する各分岐処理で使用されるソフトウェアは、既にコンピュータ１にインストールされているいことが前提としているが、必要な時にインストールするような構成にすることもできる。
【００２８】
▲３▼電子名刺
コンタクトレスメディア３は、名刺情報を図２と図４の記録フォーマットに従いコンタクトレスメディア３内に記録することで電子名刺メディアを実現している。コンピュータ１は、リーダライタ装置２を介して入力した種別コードが図３（ｂ）に示すテーブルの電子名刺に対応するコードと判断した場合（Ｓ１０９）、既にインストール済みの住所録ソフトを起動する。住所録ソフトは、例えば、名前、住所、電話番号等を含む住所録の作成・編集、記憶が可能なソフトウェアである。コンピュータ１は、種別コードに従って、内部メモリーに記憶された対応するフォーマットを参照し、コンタクトレスメディア３から表計算ソフトの標準入出力形式であるＣＳＶ形式にて出力された名刺情報を入力し（Ｓ１１１）、住所録ソフトの対応する項目に入力した名刺情報を書き込む（Ｓ１１３）。
【００２９】
▲４▼位置情報
コンタクトレスメディア３は、位置情報を図２と図５の記録フォーマットに従いコンタクトレスメディア３内に記録することで、位置情報メディアを実現している。コンピュータ１は、リーダライタ装置２を介して入力した種別コードが図３（ｂ）に示すテーブルの位置情報に対応する種別コードと判断した場合（Ｓ１０９）、既にインストール済みの電子地図ソフトを起動する。電子地図ソフトは、例えば、任意の位置とその周辺の地図を提供できるソフトウェアである。また、ＧＰＳ機能がついたものでもよい。コンピュータ１は、種別コードに従って、内部メモリーに記憶された対応するフォーマットを参照し、リーダライタ装置２を介してコンタクトレスメディア３内に記録された位置情報を入力し（Ｓ１１５）、起動したパソコン用電子地図ソフトに入力した情報を通知し、該当する位置を電子地図上に表示させる（Ｓ１１７）。
【００３０】
▲５▼アプリケーション起動
コンタクトレスメディア３は、アプリケーション起動情報を図２と図６の記録フォーマットに従いコンタクトレスメディア３内に記録することで、アプリケーション起動メディアを実現している。コンピュータ１は、リーダライタ装置２を介して入力した種別コードが、図３（ｂ）に示すテーブルのアプリケーション起動に対応する種別コードと判断した場合（Ｓ１０９）、種別コードに従って、内部メモリーに記憶された対応するフォーマットを参照し、コンタクトレスメディア３内に記憶されたアプリケーション起動情報を、リーダライタ装置２を介して入力する（Ｓ１１９）。入力したアプリケーションリンク先情報がアプリケーションプログラムの場合、コンピュータ１はその情報をもとに既にインストールされているアプリケーションプログラムを起動する。また、リンク先情報が特定のアプリケーション用専用データファイルの場合、コンピュータ１は、ＯＳ内に関連付けされたアプリケーションの起動処理を行う（Ｓ１２１）。
【００３１】
▲６▼ＵＲＬアドレス
コンタクトレスメディア３は、ＵＲＬアドレス情報を図２と図７の記録フォーマットに従いコンタクトレスメディア３内に記録することにより、ＵＲＬアドレス・メディアを実現している。コンピュータ１は、リーダライタ装置２を介して入力した種別コードが図３（ｂ）に示すテーブルのＵＲＬアドレスに対応する種別コードと判断した場合（Ｓ１０９）、ＯＳ内で標準使用に登録されているブラウザソフトを起動する。さらに、コンピュータ１は、種別コードに従って、内部メモリーに記憶された対応するフォーマットを参照し、コンタクトレスメディア３内に記録されたＵＲＬアドレス情報をリーダライタ装置２を介して入力し（Ｓ１２３）、入力したＵＲＬアドレス情報に従って該当するホームページの呼出しを行う（Ｓ１２５）。なお、入力したＵＲＬアドレス情報がない場合は、ブラウザにデフォルト設定されているホームページの呼出しを行う。
【００３２】
▲７▼Ｅ−ｍａｉｌアドレス
コンタクトレスメディア３は、Ｅ−ｍａｉｌアドレス情報を図２と図８の記録フォーマットに従いコンタクトレスメディア３内に記録することで、Ｅ−ｍａｉｌアドレス・メディアを実現している。コンピュータ１は、リーダライタ装置２を介して入力した種別コードが、図３（ｂ）に示すテーブルのＥ−ｍａｉｌアドレスに対応する種別コードと判断した場合（Ｓ１０９）、ＯＳ内で標準使用に登録されているメールソフトを起動する。コンピュータ１は、種別コードに従って、内部メモリーに記憶された対応するフォーマットを参照し、コンタクトレスメディア３内のＥ−ｍａｉｌアドレス情報をリーダライタ装置２を介して入力し（Ｓ１２７）、メールソフトの対応する項目に入力した情報を書き込む（Ｓ１２９）。なお、メッセージ内容の項目に記憶されている定型文によって、Ｅ−ｍａｉｌを自動的に送信するようにしてもよい。
各分岐処理終了後に、プログラムを終了する場合は終了し、終了しない場合はステップＳ１０１へ戻る（Ｓ１３１）。
【００３３】
（付記）
本発明のコンピュータオペレーション方法又はコンピュータオペレーション装置は、その各手順をコンピュータに実行させるためのコンピュータオペレーションプログラム、コンピュータオペレーションプログラムを記録したコンピュータ読み取り可能な記録媒体、コンピュータオペレーションプログラムを含みコンピュータの内部メモリーにロード可能なプログラム製品、そのプログラムを含むサーバ等のコンピュータ、等により提供されることができる。
【００３４】
【発明の効果】
本発明によると、コンピュータに所望のオペレーションを行う場合に、操作を簡単にするオペレーション装置を提供することができる。本発明によると、コンタクトレスメディアにオペレーションを特定する種別コードを記録し、コンピュータは種別コードを読み込み、種別コードに対応するオペレーションを判断することで、メニューを順次操作する作業を省略することができる。また、本発明によると、コンタクトレスメディアはリーダライタ装置に対して置く向き（縦・横・裏・表）に関係なく装置とアクセスが可能であるため、利用者はコンタクトレスメディアをリーダライタ装置に置く又はかざすという動作のみで、いずれのオペレーションをも可能とすることができ、コンピュータシステムを十分に理解していなくても容易に所望のオペレーションをすることができる。また、本発明によると、従来のスイッチを押すという作業が不要となり、非接触操作となるため、メカニカル的な寿命を解決する事が可能となる。
【図面の簡単な説明】
【図１】コンピュータオペレーション装置の構成図。
【図２】コンタクトレスメディアのメディアフォーマットイメージの説明図。
【図３】オペレーションタイプ種別コードの構成図。
【図４】電子名刺情報格納時の記録フォーマット。
【図５】位置情報格納時の記録フォーマット。
【図６】アプリケーション起動情報格納時の記録フォーマット。
【図７】ＵＲＬアドレス情報格納時の記録フォーマット。
【図８】Ｅ−ｍａｉｌアドレス情報格納時の記録フォーマット。
【図９】コンピュータオペレーションプログラムの処理についてのフローチャート。
【符号の説明】
１．　コンピュータ
２．　コンタクトレスメディア・リーダライタ装置
３．　コンタクトレスメディア
１１．種別コードエリア
１２．関連情報記録エリア
【図１】
2004013180.tif 000003
【図２】
2004013180.tif 000004
【図３】
2004013180.tif 000005
【図４】
2004013180.tif 000006
【図５】
2004013180.tif 000007
【図６】
2004013180.tif 000008
【図７】
2004013180.tif 000009
【図８】
2004013180.tif 000010
【図９】
2004013180.tif 000011